(57)【要約】【課題】土台と基礎との間でずれたり、脱落しない。【解決手段】扁平状のブロック１から形成され、このブロックの表面２に形成されるアンカーボルト用の孔１０と、このブロックの端縁５と孔１０との間に連続的に形成される溝１２とを備え、孔１０は表面２上の中央位置に形成され、溝１２はアンカーボルトの胴部分がブロック１の外側２９から孔１０位置まで挿入可能なように形成される。さらに、溝１２は孔１０と端縁５との間で屈曲したり、孔１０と端縁５との間にアンカーボルトが挿入された後の逆移動を阻止する突起などを有すると良い。【選択図】        図１
2004346495.tif 000002
【特許請求の範囲】
【請求項１】
扁平状のブロックから形成され、該ブロックの一方の面に垂直な方向に形成されるアンカーボルト用の孔と、該孔と前記ブロックの端縁との間に連続的に形成される溝とを備え、前記孔は前記一方の面上の少なくとも一つの中央線上で前記端縁から離れる位置に形成され、前記溝は前記アンカーボルトの胴部分が前記ブロックの外側から前記孔位置まで挿入可能なように形成されてなる基礎パッキン。
【請求項２】
請求項１において、前記溝は前記孔と前記端縁との間で屈曲してなる基礎パッキン。
【請求項３】
請求項１において、前記溝は前記孔と前記端縁との間に前記アンカーボルトが挿入された後の逆移動を阻止する手段を有してなる基礎パッキン。
【発明の詳細な説明】
【０００１】
【発明の属する技術分野】
本発明は、土台と基礎との間に設けられる基礎パッキンに関するものである。
【０００２】
【従来の技術】
木質系材料などで形成された建物の土台とコンクリート製の基礎との間に設けられる基礎パッキンとしては、たとえば略矩形の板状の本体の中央部分に、その肉厚方向に貫通する略Ｔ字状の挿入孔を有するものが知られている（特許文献１）。この基礎パッキンを使用するときには、コンクリート製の基礎に固定されたアンカーボルトに基礎パッキンの挿入孔を合せて差し込み基礎パッキンを配置するとともに、土台に設けられたアンカーボルト用の孔をアンカーボルトに合せて土台を基礎パッキン上に載置する。
【０００３】
土台を基礎パッキン上に載置した後、アンカーボルトに座金を差し込んでナットで締め付けることにより土台を基礎に固定する。このように、従来の基礎パッキンは、通常その中央部分に設けられた挿入孔にアンカーボルトを差し込んで使用する。この場合、万が一何らかの原因で基礎パッキンの入れ忘れが生じた場合、一旦、土台を取り外して基礎パッキンを挿入する必要があり、再配設に多大の手間がかかる。
【０００４】
従来の基礎パッキンは、上記の通り万が一、何らかの原因で入れ忘れた場合には多大の手間をかけて挿入することになる。土台を基礎に固定した後、簡便に基礎パッキンを土台と基礎との間に挿入することができるものとして、基礎パッキンの端縁にアンカーボルトと嵌結合する切込部を設けたものが知られている（特許文献２）。
【０００５】
【特許文献１】
特開平１１−１１７４０８号公報（第２頁、図１）
【特許文献２】
登録実用新案第３０６７１４７号公報（第２頁、図１）
【０００６】
【発明が解決しようとする課題】
上記基礎パッキンの端縁にアンカーボルトと嵌結合する切込部を設けたものは、土台設置後でも基礎パッキンの配設が可能である。しかし、地震による震動や近くを通過するトラックや電車などの車両による振動が長期間に渡って間欠的に加わった場合、基礎パッキンは土台と基礎との間でずれ、極端な場合には土台と基礎との間から脱落することも考えられる。基礎パッキンが土台と基礎の間で当初の位置からずれ、あるいは脱落すると、アンカーボルトによる土台の締め付けが緩くなるので、建物の固定が不十分になり、基礎をはじめ建物に損傷を与えるおそれがある。
【０００７】
本発明は、土台と基礎との間でずれたり、脱落しないことを課題とする。
【０００８】
【課題を解決するための手段】
上記課題を解決するため、本発明は、扁平状のブロックから形成され、このブロックの一方の面に垂直な方向に形成されるアンカーボルト用の孔と、この孔と上記ブロックの端縁との間に連続的に形成される溝とを備える。さらに、上記孔は前記一方の面上の少なくとも一つの中央線上で上記端縁から離れる位置に形成され、前記溝は上記アンカーボルトの胴部分が前記ブロックの外側から前記孔位置まで挿入可能なように形成されてなることを特徴とする。
【０００９】
このようにすることにより、溝は孔とブロックの端縁との間に連続的に形成されるので、ブロックの端縁をアンカーボルトの胴部分に適合させて、ブロックを溝に沿って押し込めることによりアンカーボルトの胴部分がブロックの溝内を通過し、アンカーボルトがブロックの孔の位置に達する。さらに、孔は一方の面上の少なくとも一つの中央線上で上記端縁から離れる位置に形成されるので、アンカーボルトがブロックの孔に位置するときに、地震の震動、車両の振動などが加わっても、ブロックの孔とブロックの端縁とは離れているので、ブロックは直ちに「ずれ」たり脱落することがない。また、本発明の基礎パッキンは、そのブロックの孔と端縁とが溝で連続的につながっているので、土台を基礎に固定した後においても入れることができる。
【００１０】
さらに、上記溝は前記孔と前記端縁との間で屈曲すると良い。ブロックの溝が屈曲することにより、ブロックの孔に位置するアンカーボルトが直ちにずれて脱落することがない。
【００１１】
また、先の溝は前記孔と前記端縁との間に前記アンカーボルトが挿入された後の逆移動を阻止する手段を有すると良い。こうするとブロックの孔に挿入されたアンカーボルトは、溝を逆移動することが阻止されるのでブロックのずれと脱落が防止される。
【００１２】
次に本発明を構成する各要件についてさらに詳しく説明する。本発明の基礎パッキンは、土台と基礎との間に設けることにより土台と基礎との間に隙間を形成し、この隙間により床下と建物の外との間で換気ないし通気をさせるものである。本発明の基礎パッキンを使用することにより床下換気口を設けなくても良い。ブロックは、その他方の面または基礎に当接する面にリブが形成されるリブ構造または複数の穴が設けられる構造でも良い。こうすることにより、ブロックの材料節約と軽量化を図ることができる。ブロックの材質は、合成樹脂、無機質材またはこれらの複合材料である。
【００１３】
ブロックに設ける孔は、一つまたは複数でも良い。孔の位置は、一方の面上の少なくとも一つの中央線上で端縁から離れる位置に形成される。孔が一つの場合はブロックの中央に、孔が二つの場合は一つの中央線上で端縁から離れ互いに離間した位置に、それぞれ形成される。孔が三つ以上の複数の場合も端縁から離れどれかの中央線上に位置する。
【００１４】
溝は、ブロックの孔と端縁との間に連続的に形成されるものであれば特に限定されないが、ブロックが一方の面から見た形状が矩形状に形成され、その一つの端縁と孔との間に連続的に形成されても良い。さらに、溝は屈曲すると良いが、その形状は、たとえば斜め状、くの字状、鉤状などである。要するに孔からブロックの端縁に直接開口しない方が良く、かつ溝の中間（途中）に設ける斜め状、くの字状、鉤状などの屈曲部分はアンカーボルトの胴径よりも小さくすると良い。
【００１５】
ブロックの孔と端縁との間に設ける溝は、アンカーボルトの逆移動を阻止する手段を有するが、この手段としては、たとえば▲１▼  溝の片側または両側に板ばねなどの変形可能な突起、あるいは軟質樹脂などの軟質材または比較的柔らかい材料で形成された突起、などを設ける、▲２▼  溝の基端側（孔側）の幅をアンカーボルトの胴径より少し小さく形成し、端縁側の幅をアンカーボルトの胴径より大きく形成し、基端側と端縁側をテーパー状に形成する、▲３▼  溝の断面を台形とし一方の面側の幅を他方の面側の幅より小さくし、かつ一方の面側の幅をアンカーボルトの胴径より少し小さく形成する、▲４▼  溝の両側に軟質樹脂を設け軟質樹脂間の幅がアンカーボルトの胴径より少し小さく形成する、などによりアンカーボルトの胴部分が溝を通過しにくくする。
【００１６】
【発明の実施の形態】
以下、本発明に係る基礎パッキンの実施形態を図面に基づいて詳細に説明する。なお、図１〜１１において、同一または同等部分には同一符号を付けて示す。
【００１７】
図１は、本発明に係る基礎パッキンの第１実施形態を示し、（Ａ）は平面図、（Ｂ）は正面図である。図２は、図１の基礎パッキンの使用状態を示す斜視図である。図２に示すように、第１実施形態の基礎パッキンは、土台２０とコンクリート製基礎２２との間に介在させることにより隙間２８を形成するが、この隙間２８により床下と建物の外との間で換気ないし通気をさせるものである。
【００１８】
基礎パッキンの使用方法は、基礎２２に埋め込まれたアンカーボルト２４にブロック１の孔１０を合せて挿入し、さらに、アンカーボルト２４の上から土台２０に設けられたアンカーボルト用の孔を合せて挿通し、座金２６を介してアンカーボルト２４の上部に設けられたねじ２４ａにナット２７を螺合させ締め付ける。このようにすることにより土台２０と基礎２２に固定され、かつ土台２０と基礎２２との間に隙間２８が形成される。
【００１９】
基礎２２の上端面に不陸がある場合には、挿入したブロック１の上端面と土台２０の下端面との間に隙間ができることがある。この場合には別体の薄い板（薄板）をブロック１の上に載せて挟み、高さを調整すると良い。薄板の大きさは、略ブロック１の大きさとし、適宜の切欠きを設けると良い。薄板の材質は、ブロック１の材質と同じか、これに相当する材質のものを使用する。
【００２０】
図１に示すように、基礎パッキンは、扁平状のブロック１から形成され、このブロックの表面２に垂直な方向に形成されるアンカーボルト用の孔１０と、上記ブロック１の孔１０と端縁５との間に連続的に形成される溝１２とを備える。さらに、上記孔１０は表面２上の中央線７ａ、７ｂ上で上記端縁５から離れた位置である中心８に形成される。孔１０の形状は十字状である。溝１２は、アンカーボルトの胴部分２５（図２）がブロックの外側２９から孔１０位置まで挿入可能なように、すなわち溝１２の幅Ｗ１がアンカーボルトの胴径Ｄよりも大きく形成される。
【００２１】
さらに、ブロックの表面２を見た形状は、矩形状に形成される。表面２にはブロック１の中心８と隅９とを結ぶ四つの線上の略中間位置に突起６が形成される。突起６は基礎パッキンが土台２０と基礎２２との間に設けられた際に土台２０に食い込み、基礎パッキンがずれないようにする。ブロックの大きさは、たとえば縦１００ｍｍ×横１００ｍｍ×厚さ２０ｍｍである。なお、孔１０と溝１２とは、ブロックの表面２側から裏面４に向かって末広がり状に形成され、孔１０および溝１２の側面は傾斜しており、いわゆる法がつけられる。
【００２２】
ブロック１に設ける孔１０は、図示のようにブロックの表面２上中央に一つだけ設けられる。さらに、ブロック１は、基礎２２に当接する側４にリブを形成したリブ構造または複数の穴を開けた構造である。ブロック１の材質は、合成樹脂、無機質材またはこれらの複合材である。
【００２３】
以上の構造を有する第１実施形態の基礎パッキンの作用について、図２を使用して説明する。溝１２はブロックの端縁５と孔１０との間に連続的に形成されるので、ブロックの端縁５をアンカーボルトの胴部分２５に合せ、ブロック１を押し込めることによりアンカーボルトの胴部分２５がブロックの溝１２内を通過し、孔１０に位置するように移動させることができる。さらに、孔１０は一方の面の中心に形成されるので、アンカーボルト２４がブロックの孔１０に位置するとき、アンカーボルト２４はブロック１の中心に位置する。この状態で地震の震動、車両の振動などが加わってもブロック１は土台と基礎の間でずれたり脱落することが少ない。
【００２４】
また、この基礎パッキンは、そのブロックの孔１０と端縁５とが溝１２で連続的につながっているので、土台２０を基礎２２に固定した後においても挿入することができる。さらに、ブロック１は、基礎２２に当接する側にリブを形成したリブ構造とすることにより、材料節約と軽量化を図ることができる。
【００２５】
一般に基礎パッキンは、地震の震動や車両の振動などで規定位置からずれたり脱落したりするおそれがある。また、土台の痩せや基礎の上端面の不陸などで施工後、複数の基礎パッキンの中には荷重がかからないものも出てくることが考えられる。以下の実施形態においては、これらの問題に対してさらに工夫をしたものである。
【００２６】
図３は、第２実施形態の基礎パッキンを示す平面図、図４は、第３実施形態の基礎パッキンを示す平面図、図５は、第４実施形態の基礎パッキンを示す平面図、をそれぞれ示す。
【００２７】
図３に示すように、第２実施形態の基礎パッキンにおいては、溝１２が屈曲する場合である。溝１２は、その中間（途中）に斜め部分１２ａを有する。斜め部分１２ａの幅Ｗ２は、アンカーボルトの胴径Ｄより０〜１ｍｍ程度小さく形成される。このようにすることにより、溝１２は直接的にブロックの端縁５に開口せず、かつ斜め部分１２ａの幅Ｗ２がアンカーボルトの胴径Ｄより小さいので、ブロックがアンカーボルトからずれたり脱落しにくい。図３に示す第２実施形態の基礎パッキンにおけるその他の構造と作用は、図１、２に示した第１実施形態の基礎パッキンと同じであるので、その説明を省略する。
【００２８】
図４に示す第３実施形態の基礎パッキンは、その溝１２の形状がくの字である。くの字部分１２ｂの幅Ｗ３は第２実施形態の溝の斜め部分１２ａの幅Ｗ２と同様にアンカーボルトの胴径Ｄに比べ０〜１ｍｍ程度小さい。図５に示す第４実施形態の基礎パッキンは、その溝１２の形状が鉤状である。鉤状部分１２ｃの幅Ｗ４はアンカーボルトの胴径Ｄより大きくても良いが、第２実施形態の溝の斜め部分１２ａの幅Ｗ２と同様に０〜１ｍｍ程度小さくする方が良い。図４、５に示す第３、４実施形態の基礎パッキンにおけるその他の構造と作用は、図３に示した第２実施形態の基礎パッキンと同じであるので、その説明を省略する。
【００２９】
図６は、第５実施形態の基礎パッキンを示す平面図、図７は、第６実施形態の基礎パッキンを示す平面図、図８は、第７実施形態の基礎パッキンを示す平面図、図９は、第８実施形態の基礎パッキンを示す平面図、をそれぞれ示す。第５〜８の実施形態の基礎パッキンは、ブロックの孔と端縁との間に設ける溝にアンカーボルトの逆移動を阻止する装置（手段）を有するものである。
【００３０】
図６に示す第５実施形態の基礎パッキンは、溝１２の中間（途中）の両側に二つずつ合計四つの突起１４を設けるものである。突起は片側だけに設けても良い。少なくとも突起１４を設ける部分の溝幅Ｗ５はアンカーボルトの胴径Ｄよりも小さくする。突起１４の材質は、たとえば軟質樹脂、金属ばね、その他の弾性的変形可能なものなどである。
【００３１】
このようにすると、アンカーボルトの胴部分が突起１４に当り、溝１２を通過しにくくなるので、ブロック１のずれないし脱落が防止される。図６に示す第５実施形態の基礎パッキンにおけるその他の構造と作用は、図１、２に示した第１実施形態の基礎パッキンと同じであるので、その説明を省略する。
【００３２】
図７に示す第６実施形態の基礎パッキンは、溝１２の基端部分（孔側部分）１２ｄの幅Ｗ６をアンカーボルトの胴径Ｄよりも小さくし、端縁５に開口する溝幅をアンカーボルトの胴径Ｄよりも大きくするものである。溝の形状は、正面からみてテーパー状になる。図８に示す第７実施形態の基礎パッキンは、溝１２の断面が、２点鎖線で示すように、台形状となっており、表面側（一方の面側）の幅を小さくし、裏側（他方の面側）の幅を大きくする。一方の面側の幅Ｗ７は０〜１ｍｍ程度アンカーボルトの胴径Ｄよりも小さくする。
【００３３】
図９に示す第８実施形態の基礎パッキンは、溝１２の両側側面に軟質樹脂を設けるもので、軟質樹脂外側面間の幅Ｗ８は０〜１ｍｍ程度アンカーボルトの胴径Ｄよりも小さくする。軟質樹脂は溝１２の片側だけに設けても良い。図７〜９に示す第６〜８実施形態の基礎パッキンにおけるその他の構造と作用は、図６に示した第５実施形態の基礎パッキンと同じであるので、その説明を省略する。
【００３４】
図１０は、第９実施形態の基礎パッキンを示し、（Ａ）は正面図、（Ｂ）は平面図である。第９実施形態の基礎パッキンは、そのブロック１の対向する辺に凸部１８を有することである。凸部１８はブロック１の両側に沿って連続的に設けられても良いし、間欠的に設けられても良い。左右の凸部１８同士の内側幅Ｅ１は土台２０の幅Ｅ２よりも１ｍｍ前後小さくする。こうすることによりブロックは、その凸部１８同士の間に土台２０が嵌合し固定されるので、基礎パッキンのずれないし脱落が防止される。図１０に示す第９実施形態の基礎パッキンにおけるその他の構造と作用は、図１、２に示した第１実施形態の基礎パッキンと同じであるので、その説明を省略する。
【００３５】
ブロック１を固定するため、ブロック１の土台に対向する面（一方の面）または基礎に対向する面（他方の面）に粘着剤を塗布しても良い。こうすることにより基礎パッキンを土台と基礎との間に介在させたときに土台または基礎に付着し、ずれまたは脱落が防止される。
【００３６】
図１１は、第１０実施形態の基礎パッキンを示す平面図である。第１０実施形態の基礎パッキンは、図１に示した第１実施形態の基礎パッキンを二つ並べたものに相当し、一つのブロック１に孔１０が二つ形成される。二つの孔１０は、一つの中央線７ｂ上で端縁５から離れ、互いに離間した位置にそれぞれ形成される。このようにすると、二つの孔１０のうち、基礎に固定されたアンカーボルトに対して位置的に適合する方の孔１０を利用することができ、使い勝手が良い。図１１に示す第１０実施形態の基礎パッキンにおけるその他の構造と作用は、図１、２に示した第１実施形態の基礎パッキンと同じであるので、その説明を省略する。
【００３７】
【発明の効果】
本発明によれば、孔は一方の面上の少なくとも一つの中央線上で端縁から離れる位置に形成され、また、溝は孔と端縁との間で屈曲し、または溝は孔と端縁との間にアンカーボルトが挿入された後の逆移動を阻止する手段を有することにより、ブロックが土台と基礎との間でずれたり、脱落しないようにすることができる。
【図面の簡単な説明】
【図１】本発明に係る基礎パッキンの第１実施形態を示し、（Ａ）は平面図、（Ｂ）は正面図である。
【図２】図１の基礎パッキンの使用状態を示す斜視図である。
【図３】第２実施形態の基礎パッキンを示す平面図である。
【図４】第３実施形態の基礎パッキンを示す平面図である。
【図５】第４実施形態の基礎パッキンを示す平面図である。
【図６】第５実施形態の基礎パッキンを示す平面図である。
【図７】第６実施形態の基礎パッキンを示す平面図である。
【図８】第７実施形態の基礎パッキンを示す平面図である。
【図９】第８実施形態の基礎パッキンを示す平面図である。
【図１０】第９実施形態の基礎パッキンを示し、（Ａ）は正面図、（Ｂ）は平面図である。
【図１１】第１０実施形態の基礎パッキンを示す平面図である。
【符号の説明】
１  ブロック
２  表面（一方の面）
４  裏面（他方の面または基礎に当接する面）
５  端縁
７ａ、７ｂ  中央線
１０  孔
１２  溝
１４  突起（逆移動を阻止する手段）
１６  軟質樹脂（逆移動を阻止する手段）
２４  アンカーボルト
２５  胴部分
【図１】
2004346495.tif 000003
【図２】
2004346495.tif 000004
【図３】
2004346495.tif 000005
【図４】
2004346495.tif 000006
【図５】
2004346495.tif 000007
【図６】
2004346495.tif 000008
【図７】
2004346495.tif 000009
【図８】
2004346495.tif 000010
【図９】
2004346495.tif 000011
【図１０】
2004346495.tif 000012
【図１１】
2004346495.tif 000013